(57)【特許請求の範囲】
【請求項１】
母線の両端長手方向に形成されて、該母線の正面側及び前記母線の両端長手方向に対して短手の幅方向から電源側端子が差し込み接続される回路遮断器の正面側の一部を覆う薄板状の母線カバーにおいて、
該母線カバーには、前記短手の幅方向中央部に前記長手方向に延設される基部と、
該基部から両短手方向に偏った位置で前記回路遮断器ごとに夫々の回路遮断器の電源側端子部の正面側において設けられて、該電源側端子に連通する孔部が形成された取外操作片が備えられ、
前記取外操作片は、母線カバーと略同一面内に一体に形成されて、
短手の幅方向において、前記基部から遠い側に前記長手方向を回動軸とする軸部によって軸支されるとともに、
基部から近い側に正面側から手指で押圧可能な程度に取外操作片の正面方向に突出形成した柱状リブの表面に凹部を設けた押圧部と、
該押圧部の裏面側に母線から離れる方向に先細り形状となった押出突出片を前記凹部の中央部と前記押出突出片の突出部との中央部が正面側裏面側方向において略同一線上に配置されるように備える一方、
基部には、母線への取付固定部と、正面側からの押圧に抗する脚部を設けて構成し、
前記脚部は前記短手の幅方向に突条形成され、
前記母線を絶縁支持する母線支持部材に幅方向において係合することにより、
前記取外操作片を押圧操作して回路遮断器を押し出す時の反力を受け止めることにより、
該押圧部を押圧したときに該取外操作片が底面側に撓んで、
前記押出突出片が前記回路遮断器の器体の電源側端子部の縁部に当接して摺動することにより、母線から回路遮断器が押し出され、回路遮断器の電源側端子の差し込み接続が解除されることを特徴とする回路遮断器の取外構造。
【請求項２】
前記凹部の表面には、回路遮断器の識別番号を一体形成により記載したことを特徴とする請求項１記載の回路遮断器の取外構造。
【発明の詳細な説明】
【技術分野】
【０００１】
本発明は、回路遮断器を分電盤の母線から取外す構造に係る。特に、前記母線とプラグイン方式で差し込み接続される分岐回路遮断器を、前記母線と電気的に接続された状態から工具を用いずに容易に取り外すための構造に係る。
【背景技術】
【０００２】
分電盤は、キャビネットの内部に、主開閉器、該主開閉器の二次側に接続される母線、該母線と各々接続される分岐回路遮断器などの回路遮断器を組み込み、電路の引込口装置として用いる。住宅等における住宅用分電盤においては、主開閉器の二次側に分岐回路遮断器が複数並設され、交流５０Ｈｚ又は６０Ｈｚの単相２線式電路（１００Ｖ）、もしくは単相３線式電路（１００／２００Ｖ）が印加されるものが一般的である。
【０００３】
近年、住宅用分電盤においては、母線にプラグインタイプの分岐回路遮断器を接続して構成されたものが増加している。このような分電盤にあっては、キャビネット内部に配設される取付板に設けられた母線に対して、取付板上に載置したプラグインタイプの分岐回路遮断器を母線の方向に向かってスライド移動させていくと、母線がプラグイン端子金具に差し込まれて接続状態になる一方、母線から遠ざかる方向に分岐回路遮断器を引き抜くように移動させていくと、母線がプラグイン端子金具から抜かれて取外状態となる。
【０００４】
分電盤内に並設配置された分岐回路遮断器を母線から取外す場合には、分岐回路遮断器を手で母線から遠ざかる方向に、前記接続状態における母線へのプラグイン端子金具の差込力に抗して引き抜く操作を行なう必要があるが、母線がプラグイン端子金具に差し込まれた状態から引き抜く操作を簡単に行なう装置として特許文献１乃至特許文献３に開示されたものがある。
特許文献１に開示された分電盤の幹線バーからブレーカを取り外す装置は、
【０００５】
特許文献２、３に開示された、支持部材（５２）に操作部材（５３）を軸着し、操作部材（５３）の係止部（５４）でブレーカ（５５）の突起（５６）を係止し、操作部材（５３）を回動し、その押出部（５７）でブレーカ（５５）の接点（５８）を幹線バー（５９）から押出すような構成に対して、次のような、操作部材５３の係止部５４、押出部５７、軸部６０が早期に破損しやすいこと、幅狭のブレーカ５５を複数配列した場合に、操作部材５３の間隔が狭くなり、これを回動しにくくなること、ブレーカ５５と同数の操作部材５３が必要になり、部品点数および組付工数が増え、取外装置５１の製作コストが高くつくこと、という課題に鑑みてなされた発明である。特許文献１に開示された、分電盤の幹線バーからブレーカを取外す装置においては、合成樹脂やゴム等の可撓性絶縁材料から構成されているので、破損しにくい等の効果が期待できる。
【先行技術文献】
【特許文献】
【０００６】
【特許文献１】特開２０１０−２２６８８１号公報
【特許文献２】特開２００４−１４７３７５号公報
【特許文献３】特開２００４−１４７３７６号公報
【発明の概要】
【発明が解決しようとする課題】
【０００７】
このブレーカを取外す装置は、ブロック（特許文献１の１２）に形成された挿入孔（１８）の内部奥側に操作部材Ｄを押し込んでいくと、挿入孔（１８）の奥側に形成された係合部（１９）に操作部材Ｄが係合し、可撓部（１７）をブロックの外側に変形させる構造故に、操作部材Ｄは挿入孔（１８）の一部を形成している案内壁（２０）に沿って押し込まれるとともに、可撓部（１７）は操作部材Ｄの太さに応じて外側に押し出されることによりブレーカに作用するものである。
【０００８】
このため、操作部材Ｄはブレーカ４を幹線バー６から押し出せる程度の太さが要求され、作業者が使用に適した操作部材Ｄとしてのドライバーを持ち合わせていない場合には取り外し作業が難しくなることが予想される。また、作業に用いるドライバーの太さが異なると挿入量に対する可撓部（１７）の外側への変形量が一義的でなくなり、また、挿入孔に対して細いドライバーを用いると案内壁２０の側にドライバーを寝せてこじるような操作が必要となり操作が煩雑になる。また、可撓部（１７）が上下の分岐ブレーカの相対向する一次側端面４ａ間に介装されており、該可撓部（１７）が外側に変形する動きが視覚的に確認しづらいことから作業者の操作感が低下する可能性がある。また、ドライバーＤの先端部分の形状に合わせて、挿入孔（１８）奥の係合部の形状が決められているため、ブロック（１２）の挿入方向に対する長さが必要となり、母線から正面側の方向の大きさが大きくなる。
【０００９】
そこで、本発明は、上記課題に鑑みてなされたもので、母線から回路遮断器を取り外す操作が、工具を用いずに正面側から押圧するだけで簡単に行え、なおかつ構造が簡単で、取外し対象の回路遮断器を容易に識別することができる回路遮断器の取外構造を提供することを目的とする。
【課題を解決するための手段】
【００１０】
本発明に係る回路遮断器の取外構造は、上述の課題を解決すべく構成されたもので、請求項１記載の回路遮断器の取外構造は、母線の両端長手方向に形成されて、該母線の正面側及び前記母線の両端長手方向に対して短手の幅方向から電源側端子が差し込み接続される回路遮断器の正面側の一部を覆う薄板状の母線カバーにおいて、該母線カバーには、前記短手の幅方向中央部に前記長手方向に延設される基部と、該基部から両短手方向に偏った位置で前記回路遮断器ごとに夫々の回路遮断器の電源側端子部の正面側において設けられて、該電源側端子に連通する孔部が形成された取外操作片が備えられ、前記取外操作片は、母線カバーと略同一面内に一体に形成されて、短手の幅方向において、前記基部から遠い側に前記長手方向を回動軸とする軸部によって軸支されるとともに、基部から近い側に正面側から手指で押圧可能な程度に取外操作片の正面方向に突出形成した柱状リブの表面に凹部を設けた押圧部と、該押圧部の裏面側に母線から離れる方向に先細り形状となった押出突出片を前記凹部の中央部と前記押出突出片の突出部との中央部が正面側裏面側方向において略同一線上に配置されるように備える一方、基部には、母線への取付固定部と、正面側からの押圧に抗する脚部を設けて構成し、前記脚部は前記短手の幅方向に突条形成され、前記母線を絶縁支持する母線支持部材に幅方向において係合することにより、前記取外操作片を押圧操作して回路遮断器を押し出す時の反力を受け止めることにより、該押圧部を押圧したときに該取外操作片が底面側に撓んで、前記押出突出片が前記回路遮断器の器体の電源側端子部の縁部に当接して摺動することにより、母線から回路遮断器が押し出され、回路遮断器の電源側端子の差し込み接続が解除されることを特徴とするものである。
【００１１】
かかる構成によれば、
前記基部を中心にして夫々回路遮断器の方向に偏った位置に取外操作片を配置するから、並設された回路遮断器の中から、取り外す対象となる回路遮断器が確実に認識できて、正面側に手指で押圧可能な程度に凹部を設けるから手指で押圧することで工具を用いず操作でき、基部から遠い側に前記長手方向を回動軸とする軸部を設け、基部から近い側に正面側からの押圧部を設けるから、正面側からの押圧による押下移動量並びに押出量が大きく確保でき、前記取外操作片は母線カバーと略同一面内に一体に形成されるから構造を簡単に設けることができる回路遮断器の取付構造を提供することができる。
【００１２】
また、母線への取付固定部と、正面側からの押圧に抗する脚部を設けたから、正面からの押圧に対して母線カバー自体の不要な撓みを防止することができ、確実な取外し操作を行なうことができる。
【００１３】
また、脚部を前記短手の幅方向に突条形成して母線支持部材に幅方向において係合させるから、押出突出片と回路遮断器との摺動時に母線カバーが、前記短手方向に撓んで押出量が相対的に減少することが防止でき、確実な取外し操作を行なうことができる。
【００１４】
また、作業者は、回路遮断器を取外す際に、押圧する場所が的確に把握でき、押圧力を効率よく前記押出突出片に伝え、確実な取外し操作を行なうことができる。
【００１５】
請求項２記載の発明は、請求項１において、前記凹部の表面に、回路遮断器の識別番号を一体形成により記載したものである。
【００１６】
請求項２記載の発明によれば、作業者は、取外し対象となる回路遮断器の回路位置をまさにその押圧する場所において、他の回路遮断器と視覚的に識別して手早く把握でき、取外し操作対象となる回路遮断器と、取外し対象とならない回路遮断器との不要な誤りを防止できるから作業効率を向上させることができる。
【発明の効果】
【００１７】
以上の如く、本発明によれば、母線から回路遮断器を取り外す操作が、工具を用いずに正面側から押圧するだけで簡単に行え、なおかつ構造が簡単で、取外し対象の回路遮断器を容易に識別することができる回路遮断器の取外構造を提供することができる。
【図面の簡単な説明】
【００１８】
【図１】第１の実施形態を示す住宅用分電盤における内器ユニット正面図を示す。
【図２】同実施形態に係る内器ユニットに分岐回路遮断器を取付ける時の斜視図を示す。
【図３】内器ユニットに分岐回路遮断器を取付ける時の要部拡大図を示す。
【図４】内器ユニットに分岐回路遮断器を取り付けた時の斜視図を示す。
【図５】取外操作片近傍の要部断面斜視図を示す。
【図６】内器ユニットの要部断面側面図を示す。
【図７】母線カバー単体における斜視図を示す。
【図８】母線カバー単体における識別番号を記載した場合の斜視図を示す。
【図９】多回路における母線カバー単体における斜視図を示す。
【図１０】従来例における回路遮断器を示す。
【図１１】従来例における回路遮断器を示す。
【発明を実施するための形態】
【００１９】
次に本発明の実施形態を図１乃至図９を用いて詳細に説明する。
【００２０】
この回路遮断器の取外構造は、住宅用分電盤のキャビネット内部に取付固定される取付板、該取付板に設けられる母線固定台、該母線固定台に取り付けられる各極の母線、母線に接続される分岐回路遮断器１、及び母線の正面側に配設されて母線と外部との絶縁を図る母線カバー２などが一体のものとなった内器ユニット１００の該母線カバー２に設けられたものである。
【００２１】
以降、分岐回路遮断器の外郭を構成する器体の母線に近い側を電源端子側とし、母線から離れる側を負荷端子側とし、前記器体に設けられた操作部の側を正面側とし、前記母線が設けられた取付板への取付面側を底面側とし、これら分岐回路遮断器が並設される方向を器体の幅方向として説明を行なう。また、母線の両端長手方向は、前記分岐回路遮断器の器体の幅方向と一致するものとし、母線の短手方向は、分岐回路遮断器の器体の長手方向、即ち電源端子−負荷端子間側の方向と一致するものとする。
【００２２】
（内器ユニットの説明）
内器ユニット１００は、キャビネットに取り付けられる取付板として、下部取付板４と該下部取付板４に載置され正面側に内部機器を取り付ける上部取付板３とを備え、これら取付板により内器ユニットの基部が構成される。
【００２３】
前記下部取付板４は金属板を折り曲げ形成することにより構成され、前記上部取付板３は樹脂成型により構成されている。下部取付板４と上部取付板３との取り付けは、下部取付板４に設けた取付孔部に、上部取付板において該取付孔部と対応した位置に設けられた突出部が嵌合することにより行われる。
【００２４】
前記上部取付板３には、その中央部に母線の両端長手方向、即ち分岐回路遮断器１の並設方向に母線固定台４１が立設され、該母線固定台４１によって各極の母線（５ａ，５ｂ，５ｃ）が該母線の両端長手方向に亘って夫々絶縁を保った状態で保持される。また、上部取付板３には、並設される分岐回路遮断器１を載置するための載置部４２が形成される。載置部４２は、分岐回路遮断器１の電源側−負荷側の方向において、該分岐回路遮断器１の幅方向の大きさと略同程度に突設形成され該幅方向の振れを防止するガイド部４３と、該ガイド部４３の中央部分において母線から遠ざかる方向に開放突設され分岐回路遮断器１の底面側に設けられた凹部と係合して取付面側−正面側の浮き上がりを防止する引掛部４４とが形成される。
【００２５】
上部取付板３における母線の両端長手方向には、母線を挟んで両側に分岐回路遮断器１が並設載置される。前記母線からは前記並設載置された分岐回路遮断器１の夫々に向けて電源を供給するための分岐線（５ａ１，５ｂ１，５ｃ１，・・・）が分岐回路遮断器１の載置位置に突出形成され、載置部４２に載置された分岐回路遮断器が該分岐線に接続されることにより、分岐回路遮断器に電源が供給される。
【００２６】
（分岐回路遮断器の説明）
載置部４２に載置される分岐回路遮断器１は、その外郭を構成する器体の長手方向を電源端子側−負荷端子側とするもので、電源側には母線と接続されるプラグイン端子金具を複数備え、負荷側には負荷回路からの電線が接続される速結端子金具を備える。電源側端子と負荷側端子の間には接点開閉機構を介して電路が形成される。該接点開閉機構は分岐回路遮断器の器体の外部から開閉機構に連動した操作部１３を操作することによって接点を開閉操作できるともに、電路に流れる異常電流を検出した場合には、バイメタルなどの熱動素子や電磁引き外し素子が作用することにより、自動で接点を開状態にするものである。
【００２７】
分岐回路遮断器１の負荷端子側には、分岐回路遮断器１が母線から外れる方向に移動することを防止するために下部取付板４と係合するロックレバー１６が設けられている。該ロックレバー１６は、分岐回路遮断器１の器体内部において正面側−底面側の方向に摺動可能に設けられ、該器体の底面側に先端部分が突出する状態と突出しない状態とを選択的にとり得るよう指掛部１６１を持って操作できる。また、突出する状態と突出しない状態との夫々の状態を安定的に保持できるよう、夫々の位置において、分岐回路遮断器の器体とロックレバーが係合する係合部を設けている。内器ユニットに分岐回路遮断器を取付けた場合、ロックレバー１６が底面側から突出し、下部取付板４の折り曲げ端部と係合することによって、分岐回路遮断器１が母線から遠ざかる方向に移動することが規制される。
【００２８】
分岐回路遮断器１の電源側には２つのプラグイン端子１１（１１ａ，１１ｂ）が設けられており、各極の母線（５ａ，５ｂ，５ｃ）のうち、何れか２つの母線と接続されることにより所定の電圧値の電源が供給される。上部取付板３から立設した母線固定台４１に保持された各極の母線（５ａ，５ｂ，５ｃ）には、該母線から分岐回路遮断器の側に延出した分岐線（図３の５ａ１，５ｂ１，５ｃ１）が設けられており、前記底面側から正面側の方向にかけて、上部取付板３に近い側に一つの分岐線５ｃ１が配置され、該母線５ｃ１よりも正面側において二つの母線５ａ１及び５ｂ１が同じ高さで分岐回路遮断器の幅方向に配置される。
【００２９】
分岐回路遮断器１は、これら分岐線のうち、５ｃ１を共通として、５ｃ１及び５ｂ１、若しくは５ｃ１及び５ａ１と接続されることにより電源が供給される。具体的には、図３において、５ａ１及び５ｃ１が第一及び第二の電圧極（Ｌ１，Ｌ２）、５ｂ１が中性極（Ｎ）として母線を配設しており、分岐回路遮断器１が分岐線５ａ１及び５ｃ１と接続される場合は２００Ｖの電圧が供給され、分岐回路遮断器１が５ｂ１及び５ｃ１と接続される場合は１００Ｖが供給される。
【００３０】
（母線カバーの説明）
母線固定台４１の正面側には、前記母線及び分岐回路遮断器１の電源端子側の一部を覆う母線カバー２が配設される。該母線カバー２は、略平板状に形成された樹脂製のカバーであり、キャビネット前面側から充電部である母線への直接的な接触を防止する絶縁手段として使用されるとともに、母線に接続された分岐回路遮断器を、絶縁を保って取外しやすくする分岐回路遮断器の取外し手段として使用される。
【００３１】
母線カバー２は、前記母線の両端長手方向に沿って薄板状に形成されている。母線固定台４１への固定は、母線カバー２の裏面側に設けられた母線への取付固定部２１７を支えとして行われる。該取付固定部２１７には、ねじを貫通させる孔が形成されており、母線上に設けられたねじ孔に固定ねじ２３によってねじ止めされることによって固定される。また、固定された状態において、固定ねじを外したときに母線カバーが一度に外れ落ちてしまわないように、母線カバー２の端部において、母線固定台４１側に設けられた複数のフック４１１と母線カバー２に設けられた前記フックとの係合孔２２とを係合させて、母線固定台４２と母線カバー２とを係合保持させている。母線固定台４１と母線カバー２とのフック４１１による係合のみを取り外して母線カバー２の下部に位置する端子ねじにアクセスしてもよい。
【００３２】
（回路遮断器の取外構造について）
母線カバー２には、前記母線の短手の幅方向中央部において母線の両端長手方向に延設される基部２１０と、該基部２１０から両短手方向に偏った位置で回路遮断器の電源側端子部の正面側において前記回路遮断器ごとに設けられる取外操作片２１が一体形成される。該取外操作片は、短手の幅方向において、前記基部２１０から遠い側に前記長手方向を回転軸とする軸部２１４によって軸支されて、母線カバー２の基部２１０と略平行な状態に略同一面内に形成される。取外操作片２１は、この同一面内に形成された初期状態から、正面側から底面側に向けて押圧されることにより、前記軸部２１４を回動中心として底面側に回動変位する。
【００３３】
また、前記取外操作片２１は、母線カバー２の短手の幅方向において、前記軸部２１４よりも前記基部２１０に近い側において、正面側から押圧するときの操作部を示すための押圧部２１１を形成している。該押圧部２１１は、取外操作片の正面方向に突出形成した柱状リブにより形成され、該中将立設部の正面側には、手指で押圧しやすいように凹みが設けられている。該凹みは、奥側に進むにつれて徐々に先細りとなるドーム状に凹み形成されており、手指を添えやすく操作感を向上している。該押圧部２１１の裏面側には母線から離れる方向に連続的に先細り状となった押出突出片２１２を備えている。
【００３４】
この押出突出片２１２は、前記取外操作片２１の押圧部が正面側から押圧された場合に、取外操作片２１とともに底面側に変位していく。即ち、押出突出片２１２は、前記軸部２１４を回動中心として底面側に変位し始め、初期状態から徐々に母線から遠ざかる方向に変位していく。したがって、押出操作片２１２を正面側から押圧していくと、母線に接続された分岐回路遮断器１の器体の電源端子部の縁部に当接して摺動しながら変位していき、分岐回路遮断器を母線から遠ざかる方向に押し出す作用を奏する。
【００３５】
取外操作片２１は、正面側から見て基部に近づくにつれて先細りとなる略三角形状に形成されているが、半円状や四角形状に形成してもよい。
【００３６】
母線カバー２は、薄板形状に形成されているが、正面側から押圧したときの撓みや破損に対しては次のような対策を施している。母線カバー２の裏面側には、前記取付固定部２１７と略面一に、脚部２１３を前記母線の短手の方向において突条形成している。前記母線の短手方向の長さと、前記脚部２１３の母線の短手方向の長さとは略同一の長さに形成しており、前記取付固定台４１の母線を収容する部分に嵌まり込む。
【００３７】
前記取付固定部２１７及び前記脚部２１３とが母線上に位置することにより、正面側からの押圧に対して抗することができ不要な撓みを軽減することができる。また、前記脚部２１３が母線固定台４１の縁部に母線の短手方向に係合することにより、取外操作片を正面から押圧して分岐回路遮断器１を押し出す操作を行なうときの反力を受け止める構成とし、該母線の短手方向への撓みを軽減することができる。
【００３８】
（押圧部の凹部について）
前記凹部が設けられている押圧部は、その突出した柱状リブが所定の間隔を保って配置されているので、何番目の回路の回路遮断器を取り外すのかを視覚的に追っていったり、実際に指で触れながら数える場合にも至極都合がよい。
【００３９】
また、並設配置される取外操作片２１は，夫々取外対象となる回路遮断器の側に互い違いにずらせて配置している。即ち、基部２１０を中心として夫々取外対象となる回路遮断器の側に母線の幅方向に偏って配置している。このため、多数並設配置された回路遮断器のうち、取外装置によってどの回路遮断器を取外対象としているのかを作業者が明確に把握することができ、高所、暗所で作業する場合においても、操作対象外の分岐回路遮断器を誤って操作するおそれが低減する。
【００４０】
（回路遮断器の識別番号について）
母線カバー２の、前記取外操作片２１が設けられた場所ごとに設けられた前記柱状リブの正面側の凹部には、取外し対象となる分岐回路遮断器を識別するための識別番号２１５が記載されている。識別番号は、数字により、前記内器ユニット１００に接続可能な分岐回路遮断器の数だけ、１から順に記載している。これらの識別番号は、分電盤における負荷回路番号と一致させて記載してもよい。これによって、例えば、施工回路の電圧を変更するときに、変更対象となる回路番号を設計図等と素早く照合させることができ、作業の効率化と作業の正確性を増加させることができる。本実施形態においては、識別番号２１５を凹部の形成時に記載することができるよう、柱状リブと一体に形成している。なお、識別番号は、前記凹部に記載するほか、前記母線カバー２の短手の方向の端部に夫々記載してもよく、正面側から臨んで、母線に接続される分岐回路遮断器に略近接するよう記載してもよい。
【００４１】
更に、前記取外操作片２１によって取外対象となる回路遮断器と、取外対象とならない回路遮断器とを区別する目的で、前記識別番号の種類を変えて記載してもよい。分電盤の内器ユニット１００には、該内器ユニット１００に接続される一次送り回路や予備回路が設けられることが多いが、これらのうち、前記取外操作片２１によって取外対象とならない回路遮断器については、識別番号を前記数字に代えて、アルファベットにて記載して区別している。分電盤の取り付け場所によっては、高所、暗所で作業する必要があるが、このような場合に、一次送り回路や予備回路を通常の回路と容易に識別する補助的手段として用いることができる。
【００４２】
図９には、多回路の分電盤に使用される母線カバー２を示している。多回路になると、取外対象となる分岐回路遮断器を特定することがやや困難になるが、識別番号２１５が母線カバー２の夫々の柱状リブに対応して記載されて分岐回路遮断器と対応して記載されていることにより、取外対象となる分岐回路遮断器を簡単に特定することができる。
【００４３】
（分岐回路遮断器の取付について）
回路遮断器の取外構造を操作するにあたり、まず、内器ユニット１００に分岐回路遮断器１を取付ける場合について説明を行なう。まず、図２、図３において、分岐回路遮断器１のロックレバー１６を分岐回路遮断器の底面側から突出しない状態にしておき、分岐回路遮断器１を上部取付板３のガイド部４３の間に載置する。この状態である程度分岐回路遮断器の幅方向の振れが抑制される。
【００４４】
続いて前記ガイド部４３に沿って分岐回路遮断器を母線の方向にスライドさせていくと、上部取付板３の引掛部４４が分岐回路遮断器の底面側に設けられた被引掛部１６と係合していき、分岐回路遮断器の底面側−正面側方向の動きが抑制される。さらにスライドさせていくと、電源側のプラグイン端子１１ａ，１１ｂが母線の分岐線５ａ１，５ｂ１に差し込まれていき、母線とプラグイン端子との電気的な接続が完了する。
【００４５】
そして、ロックレバー１６の指掛部１６１を正面側から上部取付板の方向、即ち底面側の方向に押圧して、ロックレバーの係合部を底面側から突出させると、下側取付板の折曲部とロックレバーとが係合し、分岐回路遮断器が母線から外れる方向への移動が規制される。これで分岐回路遮断器を内器ユニット１００に取付ける作業が完了する。（図４）
【００４６】
（分岐回路遮断器の取外しについて）
次に、回路遮断器の取外構造を操作して、分岐回路遮断器１を内器ユニット１００から取外す場合について説明を行なう。まず、ロックレバー１６の指掛部１６１をもって正面側に引き上げ、ロックレバー１６と下部取付板４との係合を解除する。ロックレバー１６と下部取付板４との係合を解除した場合、分岐回路遮断器１が母線から遠ざかる方向に移動する規制が解除される。この状態においては、プラグイン端子１１が母線を挟み込む力によって、分岐回路遮断器１が母線から遠ざかる方向への規制が保たれている。
【００４７】
続いて、前記取外操作片２１の操作部２１１を正面側から底面側に押圧する。押圧力が母線カバー２と一体形成された取外操作部２１の軸部の撓み力に勝った場合、取外操作片２１は底面側方向に徐々に弾性的変化し始め、前記押圧部２１１の裏面側に形成された押出突出片２１２が分岐回路遮断器１の電源側端子部の縁部に当接する。
【００４８】
この状態からさらに押圧部２１１を押圧していくと、前記押出突出部２１２が分岐回路遮断器１を母線から取り外す方向に押圧し、前記プラグイン端子１１が母線を挟み込む力に抗して、ついには分岐回路遮断器１を母線から遠ざかる方向に変位し始める。そして、分岐回路遮断器１の変位が、母線の分岐線（５ｃ１，５ａ１）とプラグイン端子（１１ａ，１１ｂ）との差し込み量を超えたときに、母線の分岐線（５ｃ１，５ａ１）へのプラグイン端子（１１ａ，１１ｂ）との差し込みが解除され、母線と分岐回路遮断器との電気的な接続が解除される。
【００４９】
この状態においては、もはや分岐回路遮断器１が母線から遠ざかる方向への規制は行なわれず、幅方向がガイド部４３により規制されているだけとなり、分岐回路遮断器１を手などで軽く母線から遠ざかる方向に引き抜くことにより分岐回路遮断器１は内器ユニットから取外される。
【００５０】
前記押出突出片２１２における先細りの形状は、押圧部２１１部を押圧して取外操作片２１が変形したときに、押出突出片２１２の前記母線カバーの短手方向の変位量が、前記分岐回路遮断器１におけるプラグイン端子の母線の分岐線への差込量よりも大きくなるよう構成するとよい。また、押圧量と押出量とが一致して良好な操作感が得られるように、本実施形態においては、正面側から底面側への変位量と、母線から分岐回路遮断器が遠ざかる方向の変位量とが約１対１になるよう、母線の短手方向からみた先細り形状の仰角が略４５度となるよう角度を持たせて構成している。
【００５１】
尚、本発明は、上記実施形態に限定されるものではなく、本発明の要旨を逸脱しない範囲で種々の変更が可能である。
【００５２】
例えば、母線カバー２の撓みを軽減させる目的で、該母線カバーの短手方向の端部にリブを回路遮断器の側に立設して構成するとよい。図５に示したように、弾性片２１で構成された取外装置の周囲に周縁リブを立設して構成するとよい。母線カバー２は分岐回路遮断器の電源側端子部の正面側を覆うものであるが、母線カバーと電源側端子部との間の余裕分程度の高さに設けることで、母線カバーの長手方向における撓み強度を向上させることができ、また、母線カバーと回路遮断器との間に不要物が入り込むおそれを低減させることができる。
【００５３】
また、前記母線カバー２に分岐回路遮断器に供給される電圧測定機能を持たせて構成してもよい。
【００５４】
測定者は、電圧測定を行なう場合、電圧測定器具により測定を行なう。電圧測定器具は電圧計などを用いるが、通常は測定端子（テストリード）を備えている。該テストリードを分岐回路遮断器が接続される極（Ｌ１極とＬ２極、又はＬ１局１とＮ極）に接続することにより分岐回路遮断器に供給される電圧を測定することができる。
【００５５】
分岐回路遮断器１のプラグイン端子１１ｂは、母線の分岐線のうち、５ｂ１（Ｌ２極）又は５ｃ１（Ｎ極）と選択的に接続され、プラグイン端子１１ａは、母線の分岐線５ａ１と接続されるから、これらプラグイン端子間の電圧を測定することにより分岐回路遮断器に供給される電圧の測定を行なうことができる。
【００５６】
テストリードを接続するための一方の極に通ずる測定部として、前記取外装置の母線から離れる方向において、一の分岐回路遮断器に対応する孔部２５２が２つ形成される。該孔部２５２は、分岐回路遮断器１の電源端子側のプラグイン端子１１ｂの正面側に位置するよう設けており、正面側から測定端子（テストリード）をプラグイン端子部に挿入して電気的に接触できる程度の孔径として構成している。
【００５７】
この２つ形成された孔部は、分岐回路遮断器１が選択的に接続される母線の分岐線（５ｂ１，５ｃ１）に対応して、接続される分岐線の側の孔部にのみ正面側からテストリードをプラグイン端子に挿通し得るように構成している。
【００５８】
テストリードを接続するための他方の極に通ずる測定部としては、母線の両端長手方向における母線の片側に並設された分岐回路遮断器は共通の母線に接続されることから、これらの分岐回路遮断器に共通の測定端子を母線の長手方向の延出元付近に設けるとよい。この共通の測定端子は、図１における、母線カバー２に形成される２５３で示した共通電圧測定端子挿入孔の底面側に設けている。
【００５９】
これらの孔部２５２と共通電圧測定端子挿入孔２５３とは、母線の両端長手方向において基部２１０を中心として対称に形成されている。測定者が電圧測定を行なう場合には、母線の両端長手方向において片側の分岐回路遮断器について、共通電圧測定端子挿入孔２５３ａに一方のテストリードを差し込み共通電圧測定端子にテストリードを接触させた状態で、他方のテストリードを夫々の分岐回路遮断器におけるプラグイン端子１１ｂが位置する側の孔部２５２ａに差し込み該プラグイン端子１１ｂに接触させて、該当する分岐回路遮断器に供給される電圧を測定する。
【００６０】
さらに、孔部２５２の母線から離れる方向には、分岐回路遮断器１における電圧表示（１００Ｖ又は２００Ｖ）が正面側から視認できるよう、分岐回路遮断器の幅方向に亘って電圧表示確認孔２６が設けられている。図には、夫々の分岐回路遮断器に供給される電圧が記載されているが、分岐回路遮断器１の実際の使用時には、前記プラグイン端子の配置位置に合わせていずれかの電圧表示のみ（１００Ｖ又は２００Ｖ）が正面側から視認可能となる構成となっているので、前記母線カバー２の電圧表示確認孔から視認できる電圧表示は一方の電圧表示だけとなる。
【００６１】
電圧測定時においては、前記電圧表示確認孔２６からは、供給されるべき電圧の値が表示されているから、その電圧の値と電圧測定器具によって測定された電圧の値とを比較することにより、分岐回路遮断器の接続状態が適切かどうかが簡単に把握することができる。
【００６２】
このように、母線カバー２に、回路遮断器の取外構造に加えて、電圧測定機能と電圧表示機能を併せ持たせることで、電気安全的により優れた母線カバーを備えた分電盤を提供することが可能となる。
【符号の説明】
【００６３】
１００  内器ユニット
１  分岐回路遮断器
１１  電源側プラグイン端子
１２  負荷側端子
１３  操作ハンドル
１４  底面側
１６  ロックレバー
１７  分岐回路遮断器の電源側端子部の器体縁部
２  母線カバー
２１  取外操作片
２１０  基部
２１１  押圧部
２１２  押出突出片
２１３  脚部
２１４  軸部
２１５  識別番号
２１６  識別番号
２１７  取付固定部
２２  孔部
２３  固定ねじ
２５２  電圧測定孔
２５３  共通電圧測定端子挿入孔
３  下部取付板
４  上部取付板
４１１  フック
４１  母線固定台
４２  載置部
４３  ガイド部
４４  引掛部
【図１】
0006270190.tif 000002
【図２】
0006270190.tif 000003
【図３】
0006270190.tif 000004
【図４】
0006270190.tif 000005
【図５】
0006270190.tif 000006
【図６】
0006270190.tif 000007
【図７】
0006270190.tif 000008
【図８】
0006270190.tif 000009
【図９】
0006270190.tif 000010
【図１０】
0006270190.tif 000011
【図１１】
0006270190.tif 000012